(57)【要約】【課題】本発明は、いずれの模様及び色彩を形成することができる繊維製品の成型方法を提供する。【解決手段】本発明に係る繊維製品の成型方法は、上表面に転写層が形成されている薄膜を提供するステップと、複数層の繊維を交差配列させながら積み重ねるステップと、交差配列させながら積み重ねた繊維及び薄膜を熱圧金型内に置いて、且つ前記薄膜を前記繊維層の表面に貼り付かせるステップと、熱圧成型するステップと、冷却してから型開けることにより薄膜の転写層を繊維製品の表面に附着させるステップと、を備える。本発明に係る繊維製品の成型方法は、転写層が設けられた薄膜を繊維に貼り合わせて、前記転写層を前記繊維に附着させて、いずれの模様及び色彩を有する繊維製品を形成することができる。【選択図】図１
2010076443.tif 000002
【特許請求の範囲】
【請求項１】
上表面に転写層が形成されている薄膜を提供するステップと、
複数層の繊維を交差配列させながら積み重ねるステップと、
交差配列させながら積み重ねた繊維及び薄膜を熱圧金型内に置いて、且つ前記薄膜を前記繊維層の表面に貼り付かせるステップと、
熱圧成型するステップと、
冷却してから型開けることにより薄膜の転写層を繊維製品の表面に附着させるステップと、
を備えることを特徴とする繊維製品の成型方法。
【請求項２】
前記転写層は、印刷、真空蒸着、又は真空電気めっき方式によって、前記薄膜に附着されることを特徴とする請求項１に記載の繊維製品の成型方法。
【請求項３】
前記転写層は、色彩を有する印刷用インク、透明な印刷用インク、又は金属装飾物であることを特徴とする請求項１に記載の繊維製品の成型方法。
【請求項４】
複数層の繊維を交差配列させながら積み重ねるステップと、
交差配列させながら積み重ねた繊維を熱圧金型内に置いて熱圧成型して、所望の形状を有する繊維板を形成させるステップと、
上表面に転写層が形成されている薄膜を提供するステップと、
前記薄膜を前記繊維板の表面に貼り付けてから、加熱設備を利用して前記薄膜の上表面の転写層を前記繊維板に転写するステップと、
冷却して前記薄膜の転写層を前記繊維板の表面に附着させるステップと、
を備えることを特徴とする繊維製品の成型方法。
【発明の詳細な説明】
【技術分野】
【０００１】
本発明は、繊維製品の成型方法に関するものである。
【背景技術】
【０００２】
炭素繊維材料は、鋼より大きな強度、アルミニウムより小さな密度、ステンレスより良い耐腐食性、耐熱鋼より良い耐高温性を有するばかりでなく、銅のように導電することができ、電気学、熱学、力学的性能を有する新型材料であって、航空設備、汽車、コンピューターなどの領域に多く応用されている。
【０００３】
ノートパソコン市場において、炭素繊維材料の外装物品がアルミニウムマグネシウム合金のような高雅で豪華な質感、非常に良い放熱効果及び優れた電磁シールド作用（ＡＢＳ外装物品なら金属膜をメッキしてシールド層とする）を有するとともに、ＡＢＳプラスチック材料の高い可塑性を有するため、消費者に好評である。
【０００４】
しかし、炭素繊維材料でノートパソコンの外装物品を製造すると、製造コストが高くなるばかりでなく、且つＡＢＳプラスチック材料より成形が困難であり、着色も複雑であるため、炭素繊維材料を採用した外装物品は、外観が悪くなる。
【発明の概要】
【発明が解決しようとする課題】
【０００５】
本発明の目的は、前記課題を解決し、いずれの模様及び色彩を形成することができる繊維製品の成型方法を提供することである。
【課題を解決するための手段】
【０００６】
前記目的を達成するため、本発明に係る繊維製品の成型方法は、上表面に転写層が形成されている薄膜を提供するステップと、複数層の繊維を交差配列させながら積み重ねるステップと、交差配列させながら積み重ねた繊維及び薄膜を熱圧金型内に置いて、且つ前記薄膜を前記繊維層の表面に貼り付かせるステップと、熱圧成型するステップと、冷却してから型を開けるステップと、を備える。
【０００７】
前記目的を達成するため、本発明に係る繊維製品の成型方法は、複数層の繊維を交差配列させながら積み重ねるステップと、交差配列させながら積み重ねた繊維を熱圧金型内に置いて熱圧成型して、所望の形状を有する繊維板を形成するステップと、上表面に転写層が形成されている薄膜を提供するステップと、前記薄膜を前記繊維板の表面に貼り付けてから、加熱設備を利用して前記薄膜の上表面の転写層を前記繊維板に転写するステップと、冷却して前記薄膜の転写層を前記繊維板の表面に附着させるステップと、を備える。
【発明の効果】
【０００８】
本発明に係る繊維製品の成型方法は、転写層が設けられた薄膜を繊維に貼り合わせて、前記転写層を前記繊維に附着させて、いずれの模様及び色彩を有する繊維製品を形成することができる。
【図面の簡単な説明】
【０００９】
【図１】本発明の第一実施形態に係る繊維製品の成型方法のフローチャートである。
【図２】本発明の第二実施形態に係る繊維製品の成型方法のフローチャートである。
【発明を実施するための形態】
【００１０】
図１に示すように、本発明の第一実施形態に係る繊維製品の成型方法によって、繊維製品の表面に模様、パターン及び色彩を形成することができる。
【００１１】
本発明の第一実施形態に係る繊維製品の成型方法は、以下のステップを備える。
【００１２】
ステップ１０２：上表面に転写層が形成されている薄膜を提供する。前記転写層は、印刷、真空蒸着、又は真空電気めっきなどの方式によって、色彩を有する印刷用インク、透明な印刷用インク、又は金属装飾物などの繊維製品の表面に成型しようとする模様、パターン及び色彩などを薄膜に付着して形成したものである。
【００１３】
前記薄膜は、厚さが０．０１−０．５ｍｍであるＰＥＴ、ＰＣ、又はＰＶＣなどの材料からなる。
【００１４】
ステップ１０４：複数層の繊維を交差配列させながら積み重ねる。積み重ねる繊維層の数量は、繊維製品の厚さに基づいて選択することができる。
【００１５】
ステップ１０６：交差配列させながら積み重ねた繊維及び薄膜を熱圧金型内に置いて、且つ前記薄膜を前記繊維層の表面に貼り付かせる。
【００１６】
ステップ１０８：熱圧成型する。
【００１７】
ステップ１１０：冷却してから型開けると、薄膜の転写層が繊維製品の表面に附着されるため、所望の外観を有する繊維製品を得る。
【００１８】
図２に示すように、本発明の第二実施形態に係る繊維製品の成型方法は、以下のステップを備える。
【００１９】
ステップ２０２：複数層の繊維を交差配列させながら積み重ねる。積み重ねる繊維層の数量は、繊維製品の厚さに基づいて選択することができる。
【００２０】
ステップ２０４：交差配列させながら積み重ねた繊維を熱圧金型内に置いて熱圧成型して、所望の形状を有する繊維板を形成する。
【００２１】
ステップ２０６：上表面に転写層が形成されている薄膜を提供する。前記転写層は、印刷、真空蒸着、又は真空電気めっきなどの方式によって、色彩を有する印刷用インク、透明な印刷用インク、又は金属装飾物などの繊維製品の表面に成型しようとする模様、パターン及び色彩などを薄膜に付着させて形成したものである。
【００２２】
ステップ２０８：前記薄膜を前記繊維板の表面に貼り付けてから、加熱設備を利用して前記薄膜の上表面の転写層を前記繊維板に転写する。
【００２３】
ステップ２１０：冷却すると、前記薄膜の転写層が前記繊維板の表面に附着されるため、所望の外観を有する繊維製品を得る。
【００２４】
前記繊維製品の成型方法は、平面又は３次元の造型を有するノートパソコンの外装物品、携帯電話の外装物品又は他の各種パネルの成型に適用することができ、繊維の優れた性能を効果的に利用するばかりでなく、いろいろな模様、パターン及び色彩を成型することもできる。
【００２５】
本発明の成型方法は、炭素繊維、ガラス繊維又は他の類似材質の成型に用いられる。
【００２６】
以上本発明を実施例に基づいて具体的に説明したが、本発明は、上述の実施例に限定されるものではなく、その要旨を逸脱しない範囲において、種々変更可能であることは勿論であって、本発明の保護範囲は、添付の特許請求の範囲によって決定される。
【図１】
2010076443.tif 000003
【図２】
2010076443.tif 000004